(57)【要約】【課題】裁断刃を突き刺した際の被裁断材支持面上からの深い落ち込みによる被裁断材の裁断不良や損傷を防止しつつ、裁断刃を剛毛の先端で受け難くしてブラシの交換頻度を低下させる得る裁断機のブラシ構造を提供する。【解決手段】ブラシ取付台に敷設した多数のブラシにより形成される被裁断材支持面の上方に裁断刃を設け、裁断刃の移動によって被裁断材支持面上の被裁断材を所定の形状に裁断する裁断機を前提とする。ブラシの基部の表側に多数の剛毛３１を設ける。剛毛３１は、それぞれの基端側から円柱形状に形成され、その全長のうちの先端から約５％の長さを占める先端側部分３６を備える。先端側部分３６を、剛毛３１の軸芯ｋを中心とした円錐形状に形成し、この円錐形状を、被裁断材支持面４上の被裁断材Ｗに対し容易に貫通しない３０°の傾斜角度αに形成し、その先端を円錐形状の傾斜角度αに沿う球面形状に形成している。【選択図】図５
2015085460.tif 000002
【特許請求の範囲】
【請求項１】
ブラシ取付台に敷設される多数のブラシの基部より突出する多数の剛毛により被裁断材支持面を形成し、前記被裁断材支持面の上方に、任意の位置に移動可能とした裁断刃を設け、この裁断刃の移動によって前記被裁断材支持面上に載置された被裁断材を所定の形状に裁断する裁断機において、
前記剛毛は、それぞれの基端側から円柱形状に形成され、その全長のうちの先端から１０％以下の長さを占める先端側部分を備え、
前記先端側部分は、前記剛毛の軸芯を中心とした円錐形状に形成されており、
前記円錐形状は、前記被裁断材支持面上の被裁断材に対し容易に貫通しない傾斜角度に形成され、その先端が当該円錐形状の傾斜角度に沿う球面形状に形成されていることを特徴とする裁断機のブラシ構造。
【請求項２】
前記円錐形状の先端は、前記剛毛の基端側の円柱直径の４５％〜７５％の球径の球面形状に形成されていることを特徴とする請求項１に記載の裁断機のブラシ構造。
【請求項３】
前記円錐形状は、２０°〜５０°の傾斜角度に形成されていることを特徴とする請求項１又は請求項２に記載の裁断機のブラシ構造。
【発明の詳細な説明】
【技術分野】
【０００１】
本発明は、編地や織地等の被裁断材を所望の形状に裁断する裁断機のブラシ取付台に敷設されるブラシの構造に関する。
【背景技術】
【０００２】
この種の裁断機にあっては、ブラシにより形成された被裁断材支持面に載置された被裁断材を、ブラシ取付台の下方に設けられた吸引機構により吸引した状態で、上方から突入した裁断刃を自在に移動させて所定の形状に裁断可能としている。その際、裁断刃は、被裁断材支持面を上方からの突入により突き刺して前後左右に移動する。
このようなブラシとしては、特許文献１に示すように、基部の表側に多数の剛毛を有し、被裁断材支持面上での被裁断材の載置面積を稼ぐ上で、これらの剛毛の先端を平坦面に形成したものが従来より知られている。
【先行技術文献】
【特許文献】
【０００３】
【特許文献１】特許第４３０８７６１号公報
【発明の概要】
【発明が解決しようとする課題】
【０００４】
ところが、前記従来のものでは、剛毛は円柱形状で、その先端が平坦面に形成されているため、裁断刃を被裁断材支持面に突き刺した際に、裁断刃を剛毛の先端面で受けてしまい、剛毛が切断されて損傷することがある。これでは、ブラシの寿命が短くなって、ブラシの交換頻度が増す。
【０００５】
そこで、剛毛を全長の広範囲に亘って先細り状に形成して先端を尖らせ、裁断刃を剛毛の先端で受け難くして切断による損傷を回避し、ブラシの寿命を延命化して交換頻度を低下させることが考えられる。
【０００６】
しかしながら、剛毛の先端が尖っていると、被裁断材支持面上での剛毛の先端の密度が低下して被裁断材の載置面積が大幅に減少してしまう。このため、裁断刃を被裁断材支持面に突き刺した際に、被裁断材に対し剛毛が引っ掛かったり、被裁断材に対し剛毛が容易に貫通して被裁断材支持面上から剛毛間の深くまで被裁断材が落ち込んだりして、被裁断材が損傷するおそれがある。更に、被裁断材が剛毛間の深くまで落ち込むと、裁断刃による被裁断材の裁断不良が生じるおそれもある。
【０００７】
本発明は、裁断刃を突き刺した際の被裁断材支持面上からの被裁断材の深い落ち込みによる被裁断材の損傷や裁断不良を防止しつつ、裁断刃を剛毛の先端で受け難くしてブラシの交換頻度を低下させることができる裁断機のブラシ構造を提供することにある。
【課題を解決するための手段】
【０００８】
前記目的を達成するため、本発明では、裁断機のブラシ構造として、ブラシ取付台に敷設される多数のブラシの基部より突出する多数の剛毛により被裁断材支持面を形成し、前記被裁断材支持面の上方に、任意の位置に移動可能とした裁断刃を設け、この裁断刃の移動によって前記被裁断材支持面上に載置された被裁断材を所定の形状に裁断する裁断機を前提とする。また、前記剛毛は、それぞれの基端側から円柱形状に形成され、その全長のうちの先端から１０％以下の長さを占める先端側部分を備える。更に、前記先端側部分を、前記剛毛の軸芯を中心とした円錐形状に形成する。そして、前記円錐形状を、前記被裁断材支持面上の被裁断材に対し容易に貫通しない傾斜角度に形成し、その先端が当該円錐形状の傾斜角度に沿う球面形状に形成することを特徴としている。
【０００９】
また、前記円錐形状の先端を、前記剛毛の基端側の円柱直径の４５％〜７５％の球径の球面形状に形成することが好ましい。
【００１０】
また、前記円錐形状を、２０°〜５０°の傾斜角度に形成することが好ましい。
【発明の効果】
【００１１】
剛毛の先端から１０％以下の長さの先端側部分を円錐形状に形成し、その円錐形状を、被裁断材支持面上の被裁断材に対し容易に貫通しない傾斜角度に形成し、その先端を傾斜角度に沿う球面形状に形成することで、裁断刃を被裁断材支持面に突き刺した際に被裁断材が被裁断材支持面上から深く落ち込むことなく剛毛の少なくとも先端側部分の長さの範囲で支えられる。これにより、被裁断材支持面上からの深い落ち込みによる被裁断材の裁断不良や被裁断材の損傷を防止することができる。しかも、被裁断材支持面に突き刺した裁断刃を剛毛の先端で容易に躱して受け難くし、ブラシの交換頻度を低下させることができる。
【００１２】
また、円錐形状の先端を剛毛の基端側の円柱直径の４５％〜７５％の球径の球面形状に形成することで、被裁断材支持面上での剛毛の先端の密度を低下させずに被裁断材の載置面積を確保することができる。
【００１３】
また、円錐形状を２０°〜５０°の傾斜角度に形成することで、裁断刃を被裁断材支持面に突き刺した際に被裁断材に対して剛毛を貫通し難くすることができる。
【図面の簡単な説明】
【００１４】
【図１】本発明の実施の形態に係る裁断機のブラシ取付台にブラシを取り付けた状態を示す縦断側面図である。
【図２】図１のブラシの平面図である。
【図３】図１のブラシの底面図である。
【図４】図１のブラシの後側部分の縦断側面図である。
【図５】図４のブラシの剛毛の先端部付近の縦断面図である。
【発明を実施するための形態】
【００１５】
以下、本発明の実施の形態を図面に基づいて説明する。
【００１６】
図１は本発明の実施の形態に係る裁断機のブラシ取付台にブラシを取り付けた状態を示す縦断側面図、図２はブラシの平面図、図３はブラシの底面図をそれぞれ示している。
【００１７】
図１〜図３において、１は裁断機であって、図示しない裁断テーブルを備えている。裁断テーブルの両側にエンドレスチェーン（図示せず）が設けられ、この両エンドレスチェーンに多数のブラシ取付台２を並べて架設している。また、各々のブラシ取付台２には、複数の被裁断材支持面用ブラシ３（以下ブラシと記す）が取り付けられ、裁断する被裁断材Ｗを載置するための被裁断材支持面４を各々ブラシ３の剛毛３１によって形成し、この被裁断材支持面４によって裁断テーブルを構成している。被裁断材支持面４は、エンドレスチェーンの回動によって移動可能である。更に、被裁断材支持面４の上方には、裁断刃５が上下動および刃の向きを可変に設けられている。この裁断刃５は、被裁断材支持面４に対し左右方向および前後方向に移動可能に設けられ、被裁断材支持面４に突き刺した状態で上下に往復運動を繰り返しながら任意の位置に自在に移動して、被裁断材支持面４上の被裁断材Ｗを任意の形状に裁断するレシプロ方式のものが採用されている。この場合、被裁断材Ｗは、被裁断材支持面４に複数枚積層して載置されている。なお、被裁断材Ｗは、被裁断材支持面４に単一枚のみ、又は裁断可能であれば数十枚積層して載置されていてもよい。
【００１８】
また、ブラシ取付台２及びブラシ３の基部には多数の各々吸引通気孔２２，３２が配置されていて、被裁断材支持面４上に載置される被裁断材Ｗを吸引する吸引装置（図示せず）がブラシ取付台２の下方に設けられている。この吸引装置を作動させることによって、被裁断材支持面４上に載置された被裁断材Ｗを吸引して支持している。また、被裁断材Ｗの表面には、図示しないシートロールから繰り出されたポリエチレンなどの非通気性被覆シートが被覆され、吸引装置による被裁断材Ｗの吸引が効率よく行われる。
【００１９】
裁断機１におけるブラシ３の構造をさらに説明する。
先ず、ブラシ取付台２は、アルミニウムの押出し加工によって形成されている。ブラシ取付台２の上部には、左右方向（図１では紙面手前奥方向）へ延びる一列の係止リブ２３と複数列の嵌合リブ２４とがそれぞれブラシ３側（図１では上方）に向けて突設されている。係止リブ２３は、ブラシ取付台２の移動方向の最前列に設けられ、先端部に係止部２３ａを備えている。一方、嵌合リブ２４は、係止リブ２３よりも後方に設けられ、先端部に嵌合部２４ａを備えている。
【００２０】
一方、ブラシ３は、可撓性を有する合成樹脂材で成形され、前後方向及び左右方向で互いに隣り合う吸引通気孔３２同士の間より表側へ突出する多数の剛毛３１を備えている。また、ブラシ３の基部の裏側には、ブラシ取付台２の係止リブ２３に対峙する係止突起３３と、ブラシ取付台２の各嵌合リブ２４にそれぞれ対峙する締着突起３４とがそれぞれブラシ取付台２側（図１では下方）に向けて突設されている。係止突起３３は、係止リブ２３の係止部２３ａに係止する係止部３３ａを備えている。ブラシ取付台２には、係止突起３３の背面を係止リブ２３の後方側より保持する補助リブ２５が設けられている。締着突起３４は、嵌合リブ２４の嵌合部２４ａに嵌合する嵌合部３４ａを備えている。
【００２１】
この場合、ブラシ３の後部を上方に持ち上げると、締着突起３４が嵌合部２４ａに沿って撓みながら嵌合リブ２４から外れた後、当該ブラシ３の係止突起３３がブラシ取付台２の係止リブ２３の係止部２３ａから外れ、ブラシ３とブラシ取付台２との嵌合が解除される。そして、裁断作業によってブラシ３の剛毛３１が損傷した場合は、その損傷したブラシ３を、係止状態を解除するように後部の一端を上方に持ち上げてブラシ取付台２から取り外すことで交換可能である。
【００２２】
図４はブラシ３の後側部分の縦断側面図、図５はブラシ３の剛毛３１の先端部付近の縦断面図をそれぞれ示している。これらの図４及び図５に基づいてブラシ３の剛毛３１の構造を詳細に説明する。
【００２３】
剛毛３１は、円柱形状に形成され、その全長Ｌ（例えば１５ｍｍ）のうちの基端から約９５％の長さｍ（例えば１４．２２ｍｍ）を占める基端側部分３５と、全長Ｌのうちの先端から約５％の長さｎ（例えば０．７８ｍｍ）を占める先端側部分３６とを備えている。この先端側部分３６の長さｎが、基端側部分３５の基端の円柱直径Ａ（例えば０．８ｍｍ）とほぼ一致している。また、先端側部分３６は、剛毛３１の軸芯ｋを中心とした円錐形状に形成されている。この円錐形状は、被裁断材支持面４上の被裁断材Ｗに対し容易に貫通しない傾斜角度α（例えば３０°）に形成され、その先端が当該円錐形状の傾斜角度αに沿う球面形状に形成されている。
【００２４】
これにより、裁断刃５を被裁断材支持面４に突き刺した際に被裁断材Ｗに対して剛毛３１が貫通し難くなり、被裁断材Ｗが被裁断材支持面４上から深く落ち込むことなく剛毛３１の少なくとも先端側部分３６の長さｎの範囲で支えられる。このため、被裁断材支持面４上からの深い落ち込みによる被裁断材Ｗの裁断不良や被裁断材Ｗの損傷を防止することができる。
しかも、被裁断材支持面４に突き刺した裁断刃５を剛毛３１の先端で容易に躱して受け難くする上、裁断刃５の移動時にも剛毛３１が自身の円柱形状と相俟ってしなやかに撓って裁断刃５を剛毛３１の先端で容易に躱して受け難くし、ブラシ３の交換頻度を低下させることができる。
【００２５】
この場合、先端側部分３６を全長Ｌの先端から５％の長さｎとしたが、先端側部分３６を全長Ｌの先端から１０％以下の長さであればよい。また、先端側部分３６での円錐形状の傾斜角度αは、３０°に限定されるものではなく、被裁断材Ｗに対し容易に貫通しない２０°〜５０°の傾斜角度であればよい。
【００２６】
円錐形状の先端は、基端側部分３５の円柱直径Ａ（例えば０．８ｍｍ）の約６３％の球径β（例えば０．５ｍｍ）の球面形状に形成されている。これにより、被裁断材支持面４上での剛毛３１の先端の密度を低下させずに被裁断材Ｗの載置面積を確保することができる。この場合、円錐形状の先端を基端側部分３５の円柱直径Ａの約６３％の球径βの球面形状に形成したが、基端側部分３５の円柱直径の４５％〜７５％の球径の球面形状に円錐形状の先端が形成されていればよい。
【００２７】
なお、本発明は、前記実施の形態に限定されたものではなく、その他種々の変形例を包含している。例えば、前記実施の形態では、被裁断材支持面４をエンドレスチェーンの回動によって移動させる裁断機１に用いたが、被裁断材支持面が移動しない固定式の裁断機にも適用できるのはいうまでもない。
【００２８】
また、前記実施の形態では、レシプロ方式の裁断刃５を採用したが、突き刺した刃を往復運動させずに引き切りする裁断刃や、超音波振動により裁断する裁断刃であってもよい。
【００２９】
更に、前記実施の形態では、全長Ｌ（例えば１５ｍｍ）の比較的短い剛毛３１を示したが、被裁断材の積層厚さの増大に伴って剛毛の全長（例えば５０ｍｍ等）を長くした場合でも、本発明を適用可能である。
【符号の説明】
【００３０】
１      裁断機
２      ブラシ取付台
３      ブラシ
３１    剛毛
３５    基端側部分
３６    先端側部分
４      被裁断材支持面
５      裁断刃
Ａ      基端側部分の円柱直径
ｋ      剛毛の軸芯
Ｌ      剛毛の全長
ｎ      先端側部分の先端からの長さ
α      円錐形状の傾斜角度
β      円錐形状の先端の球径
Ｗ      被裁断材
【図１】
2015085460.tif 000003
【図２】
2015085460.tif 000004
【図３】
2015085460.tif 000005
【図４】
2015085460.tif 000006
【図５】
2015085460.tif 000007